(57)【要約】【課題】購入するコストを低減し、保管スペースを小にでき、かつ、診察時に選別する手技面のロスを改善できる舌圧子を提供する。【解決手段】所望長さの板状舌圧子本体１０を備え、舌圧子本体１０の略中央部１１を境として、舌圧子本体１０の一方側の部位で略長方形状の大人用の舌圧板部１２を構成すると共に他方側の部位で大人用の舌圧板部より細幅に形成した略長方形状の小人用の舌圧板部１３を構成する。【選択図】図１
0003123012.tif 000002
【実用新案登録請求の範囲】
【請求項１】
所望長さの板状舌圧子本体を備え、前記舌圧子本体の長手方向の略中央部を境として、前記舌圧子本体の一方側の部位で略長方形状の大人用の舌圧板部が構成されていると共に他方側の部位で前記舌圧板部より細幅に形成した略長方形状の小人用の舌圧板部が構成されていることを特徴とする、
舌圧子。
【請求項２】
大人用の舌圧板部及び小人用の舌圧板部の外端部には丸みが付与されていることを特徴とする、請求項１に記載の舌圧子。
【請求項３】
板状舌圧子本体は木材で構成されていることを特徴とする、請求項１又は２に記載の舌圧子。
【請求項４】
板状舌圧子本体はプラスチック材で構成されていることを特徴とする、請求項１又は２に記載の舌圧子。
【請求項５】
板状舌圧子本体はステンレス等の金属材で構成されていることを特徴とする、請求項１又は２に記載の舌圧子。
【考案の詳細な説明】
【技術分野】
【０００１】
本考案は、咽喉や咽頭などの口腔内部を診断する際に使用する舌圧子に関する。
【背景技術】
【０００２】
医師が咽喉や咽頭などの口腔内部を直接診断する場合、舌を押さえる舌圧子が使用されている。従来の舌圧子として、例えば図４に示すものが一般に知られている。以下、この従来の舌圧子について図４を参照して説明する。この舌圧子は使い捨て用に構成されている。
図４において、１００は大人用（成人用）の舌圧子、２００は小人用の舌圧子を示す。大人用の舌圧子は白樺等の木材で例えば長さ約１５ｃｍ、幅約１６ｍｍ、厚み約１．５ｍｍの長方形状に形成した舌圧板１０１の両端部１０２，１０３に半円形状の丸み加工を付与して構成されている。また、小人用の舌圧子２００は前記と同様の木材で例えば長さ約１３ｃｍ、幅約１４ｍｍ、厚み約１．５ｍｍの長方形状に形成した舌圧板２０１の両端部１０２，１０３に半円形状の丸みを付与して構成されている。
【０００３】
従来の舌圧子は上記したように大人用と小人用に区分し、小人用の舌圧板は大人用に比べて細幅に形成してある。前記両舌圧子１００及び２００は、それぞれ一本ずつ滅菌包装され、適当本（例えば２００本）箱詰めされ、ユーザーに出荷される（なお、滅菌包装については図２参照）。そして、医師は、患者（大人或いは小人）に応じて大人用と小人用の舌圧子を使い分けている。
【０００４】
従来の他の舌圧子として、舌圧板部と取手部、及び前記両者を接合する屈曲部とで構成したものがある（例えば特許文献１参照）。この舌圧子は、小人用の舌圧板部を大人用と比べて細幅に形成し、前記従来例と同様に大人用と小人用の舌圧子を使い分けている。
上記したように、従来の舌圧子は大人用（成人用）と小人用に区別して別々に製造され、診断する際に患者に応じて使い分けているのが現状である。
【特許文献１】特開平５−１７６９３４号公報
【考案の開示】
【考案が解決しようとする課題】
【０００５】
ところで、病院や医院、或いは診療所等においては、大人と小人と交互に診察するケースが多くある。しかるに、従来の舌圧子は大人用と小人用に区別されて別々に製造されているため、次のような問題を有している。（１）大人用と小人用の両方の舌圧子を購入して保管する必要があるため、コストが高くなる。（２）舌圧子の保管スペースが大になる。（３）診察時に選別する手技面上におけるロスが発生する問題がある。
【０００６】
本考案は上記のような実情に鑑み、上記（１）〜（３）の問題を解消し得る舌圧子を提供することを目的とするものである。
【課題を解決するための手段】
【０００７】
上記目的を達成するため、本考案の舌圧子は、所望長さの板状舌圧子本体を備え、前記舌圧子本体の長手方向の略中央部を境として、前記舌圧子本体の一方側の部位で略長手形状の大人用の舌圧板部が構成されていると共に他方側の部位で前記舌圧板部より細幅に形成した略長方形状の小人用の舌圧板部が構成されていることを特徴とする。本考案の舌圧子は、使い捨て用（ディスポタイプ）及び繰り返して使用するタイプの両方を含む。
【０００８】
本考案において、大人用の舌圧板部及び小人用の舌圧板部の外端部（先端部）に半円形状等の丸みを付与した構成を採用することができる。通常の場合には、舌圧板部の外端部に丸みを付与した構成を採用する。
【０００９】
本考案において、板状舌圧子本体を構成する素材は特に限定するものではないが、例えば白樺その他の各種木材、各種のプラスチック材、或いはステンレスその他の金属材等を挙げることができる。また、本考案の舌圧子は滅菌包装することができること勿論である。
【考案の効果】
【００１０】
本考案によれば、板状舌圧子本体の一方側で大人用の舌圧板部を構成すると共に他方側で小人用の舌圧板部を構成してあるので、一本の舌圧子を大人用と小人用に兼用して使用することができる。したがって、従来のように大人用及び小人用の両方の舌圧板を購入する場合に比べコスト安になる。また、保管スペースを小にすることができる。さらにまた、診察時に選別する手技面のロスを改善することができる。
【考案を実施するための最良の形態】
【００１１】
以下、図面を参照して本考案の舌圧子の実施の形態の一例を説明する。
【００１２】
図１は本考案の舌圧子の一実施の形態を示す斜視図（ａ）と平面図（ｂ）、図２は同上舌圧子を滅菌包装した状態を示す図であって、同図（ａ）は平面図、同図（ｂ）は同図（ａ）のＡ−Ａ線拡大断面図、図３は使用状態を示す説明図である。
【００１３】
上記図１ないし図３において、この実施の形態の舌圧子１は所望長さの略長方形状に形成した板状舌圧子本体１０を備えている。舌圧子本体１０の長さ及び厚み（肉厚）は特に限定するものではなく、適当に設定できるものであるが、例えば、長さ約１４ｃｍ〜約１６ｃｍ、厚み約１．４ｍｍ〜約２ｍｍ程度に形成することができる。
舌圧子本体１０の構成素材は特に限定するものではないが、この実施の形態では白樺等の木材を採用している。
【００１４】
前記舌圧子本体１０には、前記本体１０の長手方向の略中央部１１を境として、本体１０の一方側の部位で略長方形状の大人用（成人用）の舌圧板部１２が構成されている。また、舌圧子本体１０の他方側の部位で前記舌圧板部１２より細幅に形成した略長方形状の小人用の舌圧板部１３が構成されている。
【００１５】
前記両舌圧板部１２，１３の幅の寸法は特に限定するものではなく、適当に設定できるものであるが、大人用の舌圧板部１２の幅のサイズとして、例えば約１６ｍｍないし約２０ｍｍ程度の範囲に形成することができる。また、小人用の舌圧板部１３の幅のサイズとして、例えば約１２ｍｍないし約１５ｍｍ程度の範囲に形成することができる。
【００１６】
前記大人用の舌圧板部１２と小人用の舌圧板部１３との長さの比率は特に限定するものではないが、例えば舌圧子本体１０の長さを約１５ｃｍに形成した場合、大人用の舌圧板部１２を約８ｃｍ、小人用の舌圧板部１３を約７ｃｍに形成することができる。但し、上記に限定するものではない。
【００１７】
前記両舌圧板部１２，１３の外端部（先端部）１４，１５には丸みが付与されている。この実施の形態では略半円形状に丸み加工を施した例が開示されている。また、大人用の舌圧板部１２の基部側における両側角部１６，１７にはアール加工を施してある。
【００１８】
この実施の形態の舌圧子１は上記のように構成され、この舌圧子１は滅菌包装（滅菌パック）し、製品として出荷される。滅菌包装は例えば図２に示すように、適当な大きさの紙製等の台紙１８上に舌圧子１を載置し、その上から台紙１８と同大の透明プラスチックフィルム等の被覆紙１９を重合し、この状態で前記両紙１８，１９の周縁部をヒートシール２０等により溶着して密閉する。そして、この状態でオートクレーブやガス滅菌、或いはガンマ滅菌等により処理して滅菌する。
なお、上記した舌圧子１の滅菌包装は一例として開示したもので、上記以外の滅菌パック方法を採用できること勿論である。
また、所望に応じ、舌圧子１を密閉包装した前記台紙１８又は被覆紙１９の大人用の舌圧板部１２側の部位に、例えば「大人用」の文字等を、また、小人用の舌圧板部１３側の部位に「小人用」の文字等を印刷等で表示することもできる。
【００１９】
この実施の形態の舌圧子は上記のように構成したもので、次に使用方法の一例につき説明する。医師は患者（大人又は小人）に応じ、患者が大人（成人）の場合には滅菌パックの大人用の舌圧板部１２側を開封し、小人の場合には小人用の舌圧板部１３側を開封する。
例えば患者が大人の場合には、図３に示すように、包装パックの大人用の舌圧板部１２側を開封して前記舌圧板部１２を露呈し、台紙１８及び被覆紙１９の開封した部分を未開封の包装パック部に重ね合わせ、この状態で小人用の舌圧板部１３を握り部として手で握る。そして、大人用の舌圧板部１２で患者の舌２１を押さえて口腔内部を診断する。
また、患者が小人の場合には、包装パックの小人用の舌圧板部１３側を開封して舌圧板部１３を露呈し、台紙１８及び被覆紙１９の開封した部分を未開封の包装パック部に重ね合わせ、この状態で大人用の舌圧板部１２を握り部として手で握る。そして、小人用の舌圧板部１３で患者の舌２１を押さえて口腔内部を診断する。
【００２０】
なお、この実施の形態では、舌圧子本体１０の素材として木材を採用した例を開示したが、舌圧子本体１０はプラスチック材やステンレス等の金属材で構成できること既に述べたとおりである。
【００２１】
また、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２２】
【図１】本考案の舌圧子の一実施の形態を示す斜視図（ａ）と平面図（ｂ）である。
【図２】同上舌圧子を滅菌包装した状態を示す図であって、同図（ａ）は平面図、同図（ｂ）は同図（ａ）のＡ−Ａ線拡大断面図である。
【図３】同上舌圧子の使用状態を示す説明図である。
【図４】従来の舌圧子を示す図であって、同図（ａ）は大人用の舌圧子を示す斜視図、同図（ｂ）は小人用の舌圧子を示す斜視図である。
【符号の説明】
【００２３】
１０    板状舌圧子本体
１１    略中央部
１２    大人用の舌圧板部
１３    小人用の舌圧板部
【図１】
0003123012.tif 000003
【図２】
0003123012.tif 000004
【図３】
0003123012.tif 000005
【図４】
0003123012.tif 000006